(57)【要約】      （修正有）【課題】正当な宛名人以外の者による不正開封防止機能を有する封筒を提供する。【解決手段】封筒１は、宛先記載片２と、宛先記載片の上辺側に設けられ、宛先記載片の裏面側に折り込まれるとともに、受穴４を具備する上折込片３と、宛先記載片の下辺側に設けられ、宛先記載片の裏面側に上折込片と重合するように折り込まれるとともに、受穴より広幅部分を有する差込片８を具備し、差込片を受穴に嵌め込み拡開状態とする下折込片７と、宛先記載片の一方の側辺側に設けられ、上折込片、下折込片を含む宛先記載片の裏面側に重ね合わされる横第１折込片９と、宛先記載片の他方の側辺側に設けられ、裏面側に封着部１１を備えて、横第１折込片に重ね合わせて封着する横第２折込片１０とを有し、宛先記載片の上辺と上折込片との第１折込ラインＬ１、又は宛先記載片の下辺と下折込片との第２折込ラインＬ２に、上折込片又は下折込片への引き出し力が作用するとき、差込片又は受穴が破断するように構成した。【選択図】図１
0003194449.tif 000002
【実用新案登録請求の範囲】
【請求項１】
宛先記載片と、
前記宛先記載片の上辺側に設けられ、宛先記載片の裏面側に折り込まれるとともに、差込片用の受穴を具備する上折込片と、
前記宛先記載片の下辺側に設けられ、宛先記載片の裏面側に上折込片と重合するように折り込まれるとともに、前記受穴より広幅部分を有する差込片を具備し、この差込片を前記受穴に嵌め込み広幅部分を前記宛先記載片の裏面側で拡開状態とする下折込片と、
前記宛先記載片の一方の側辺側に設けられ、前記上折込片、下折込片を含む宛先記載片の裏面側に重ね合わされる横第１折込片と、
前記宛先記載片の他方の側辺側に設けられ、裏面側に封着部を備えて前記横第１折込片に重ね合わせて封着する封緘片として機能する横第２折込片と、
を有し、
前記宛先記載片の上辺と上折込片との境界折込ライン、又は前記宛先記載片の下辺と下折込片との境界折込ラインに、前記上折込片又は下折込片への引き出し力が作用するとき、前記差込片又は前記受穴の部分が破断するように構成したことを特徴とする封筒。
【請求項２】
四角形状で郵便番号記載欄を設けた宛先記載片と、
前記宛先記載片の上辺側に設けられ、宛先記載片の裏面側に折り込まれるとともに、差込片用の受穴を具備する四角形状の上折込片と、
前記上折込片の両側辺に設けた前記宛先記載片の裏面側に配置される便箋類を挟み込む四角形状の第１補助折込片、第２補助折込片と、
前記宛先記載片の下辺側に設けられ、宛先記載片の裏面側に上折込片と重合するように折り込まれるとともに、前記受穴より広幅部分を有する差込片を具備し、この差込片を前記受穴に嵌め込み広幅部分を前記宛先記載片の裏面側で拡開状態とする四角形状の下折込片と、
前記宛先記載片の一方の側辺側に設けられ、前記上折込片、下折込片を含む宛先記載片の裏面側に重ね合わされる四角形状の横第１折込片と、
前記宛先記載片の他方の側辺側に設けられ、裏面側に封着部を備えて前記横第１折込片に重ね合わせて封着する封緘片として機能する四角形状の横第２折込片と、
を有し、
前記宛先記載片の上辺と上折込片との境界折込ライン、又は前記宛先記載片の下辺と下折込片との境界折込ラインに、前記上折込片又は下折込片への引き出し力が作用するとき、前記差込片又は前記受穴の部分が破断するように構成したことを特徴とする封筒。
【請求項３】
表面側を初回使用のための郵便番号記載欄付の行き宛名記載欄とし、裏面側を再使用のための郵便番号記載欄付の帰り宛名記載欄とした宛先記載片と、
前記宛先記載片の上辺側に設けられ、宛先記載片の表面側又は裏面側に折り込まれるとともに、差込片用の受穴を具備する上折込片と、
前記宛先記載片の下辺側に設けられ、宛先記載片の表面側又は裏面側に上折込片と重合するように折り込まれるとともに、前記受穴より広幅部分を有する差込片を具備し、この差込片を前記受穴に嵌め込み広幅部分を前記宛先記載片の表面側又は裏面側で拡開状態とする下折込片と、
前記宛先記載片の一方の側辺側に設けられ、前記上折込片、下折込片を含む宛先記載片の表面側又は裏面側に重ね合わされるようにした横第１折込片と、
前記宛先記載片の他方の側辺側に設けられ、前記上折込片、下折込片を含む宛先記載片の表面側又は裏面側に重ね合わされるとともに、前記横第１折込片の上面に重ね合わされ、初回使用のための封着部を端縁側に設け、再使用ための封着部を初回使用のための封着部より内部側に表裏隣り合う配置で設けた横第２折込片と、
を有し、
前記宛先記載片の上辺と上折込片との境界折込ライン、又は前記宛先記載片の下辺と下折込片との境界折込ラインに、前記上折込片又は下折込片への引き出し力が作用するとき、前記差込片又は前記受穴の部分が破断するように構成するとともに、
前記宛先記載片、上折込片、下折込片、横第１折込片及び横第２折込片の前記行き宛名記載欄を表面とした折り込みと、前記初回使用のための封着部による横第１折込片、横第２折込片間の封着とにより、内部に便箋類を収納した初回使用態様の郵便物を構成し、
前記宛先記載片、上折込片、下折込片、横第１折込片及び横第２折込片の前記帰り宛名記載欄を表面とした折り込みと、前記再使用のための封着部による横第１折込片、横第２折込片間の封着とにより、内部に便箋類を収納した再使用態様の郵便物を構成するようにしたことを特徴とする封筒。
【請求項４】
四角形状で表面側を初回使用のための郵便番号記載欄付の行き宛名記載欄とし、裏面側を再使用のための郵便番号記載欄付の帰り宛名記載欄とした宛先記載片と、
前記宛先記載片の上辺側に設けられ、宛先記載片の表面側又は裏面側に折り込まれるとともに、差込片用の受穴を具備する四角形状の上折込片と、
前記上折込片の両側辺に設けた前記宛先記載片の表面側又は裏面側に配置される便箋類を挟み込む四角形状の第１補助折込片、第２補助折込片と、
前記宛先記載片の下辺側に設けられ、宛先記載片の表面側又は裏面側に上折込片と重合するように折り込まれるとともに、前記受穴より広幅部分を有する差込片を具備し、この差込片を前記受穴に嵌め込み広幅部分を前記宛先記載片の表面側又は裏面側で拡開状態とする四角形状の下折込片と、
前記宛先記載片の一方の側辺側に設けられ、前記上折込片、下折込片を含む宛先記載片の表面側又は裏面側に重ね合わされるようにした横第１折込片と、
前記宛先記載片の他方の側辺側に設けられ、前記上折込片、下折込片を含む宛先記載片の表面側又は裏面側に重ね合わされるとともに、前記横第１折込片の上面に重ね合わされ、初回使用のための封着部を端縁側に設け、再使用ための封着部を初回使用のための封着部より内部側に表裏隣り合う配置で設けた四角形状の横第２折込片と、
を有し、
前記宛先記載片の上辺と上折込片との境界折込ライン、又は前記宛先記載片の下辺と下折込片との境界折込ラインに、前記上折込片又は下折込片への引き出し力が作用するとき、前記差込片又は前記受穴の部分が破断するように構成するとともに、
前記宛先記載片、上折込片、下折込片、横第１折込片及び横第２折込片の前記行き宛名記載欄を表面とした折り込みと、前記初回使用のための封着部による横第１折込片、横第２折込片間の封着とにより、内部に便箋類を収納した初回使用態様の郵便物を構成し、
前記宛先記載片、上折込片、下折込片、横第１折込片及び横第２折込片の前記帰り宛名記載欄を表面とした折り込みと、前記再使用のための封着部による横第１折込片、横第２折込片間の封着とにより、内部に便箋類を収納した再使用態様の郵便物を構成するようにしたことを特徴とする封筒。
【考案の詳細な説明】
【技術分野】
【０００１】
本考案は、封筒に関し、詳しくは、正当な名宛名人以外の者による不正開封防止機能を有する封筒、更には、不正開封防止機能に加え、再使用機能を有する封筒に関するものである。
【背景技術】
【０００２】
従来における一般的な封筒５１について図２２を参照して概説する。
【０００３】
従来の封筒５１は、図２２に封筒本体５２の裏面側を示すように、宛先記載片（図２２では裏面側となる）と、第１裏片５３と、第２裏片５４と、底封止片５５と、封緘片５６と、を具備し、宛先記載片の裏側で第１裏片５３、第２裏片５４の重合端辺部を糊付け等で貼り付け、更に、第１裏片５３、第２裏片５４の底部外側に底封止片５５を折り込んで糊付け等で貼り付けて、これらにより袋状形態とし、便箋類５７を内部に挿入した後、第１裏片５３と、第２裏片５４の上部側に封緘片５６折り重ね、糊付け等で貼り付ることにより、便箋類５７を収納した郵便物５８とするものである。
【０００４】
しかし、このような一般的な封筒５１の場合、図２２に示すように、前記底封止片５５の折り込みラインの内側にこの折り込みラインに沿って、例えば糸５９を、針等を利用して挿通し、糸５９を引っ張って底封止片５５を引き剥がすような力Ｆを加えると、図２２下欄に示すように、前記底封止片５５が第１裏片５３、第２裏片５４の底部側から引き剥がされ、封筒本体５２の底部側が開封してしまうという不都合な事態が生じる。
【０００５】
この結果、正当な名宛名人以外の者（不正者）が封筒本体５２の開封した底部側から便箋類５７を抜き取り判読した後この便箋類５７を封筒本体５２内に戻し、前記底封止片５５を元の状態となるように貼り付ることによって、開封前の郵便物５８として復元させることが可能となる。
【０００６】
そして、復元された郵便物５８は正当な名宛名人が開封する場合でも、既に不正者により開封されていることを判別することは困難となってしまう。
【０００７】
すなわち、状来の一般的な封筒５１の場合、不正者による無断開封という不正な行為が行われ易く、又は実際に行われてしまうという問題を包含していた。
【０００８】
また、郵便物として利用する封筒に関しては、封筒として使用される紙葉類の省資源の観点から、一回限りの使い切りではなく再使用可能とすることが従来望まれているとろである。
【０００９】
特許文献１には、収納体開口部における封緘部において、切込みを設けるかまたは著しく延伸する素材を用いることにより、第三者が開封しようとすると収納体の破断または変形をもたらすように構成した封筒形態の収納体が開示されている。
【００１０】
しかし、この特許文献１の収納体の場合には、封緘部に切込みを設けるかまたは著しく延伸する素材を用いるという格別の要素を付加しなければならなかった。
【００１１】
特許文献２には、表紙の上部に往信用送付先記入欄を設けて、その欄の下方の前記表紙にその幅方向全長にわたるミシン目のキリトリ線を設け、裏紙には前記キリトリ線に対応してその幅方向全長にわたり貼付用舌片を形成し得るミシン目のキリトリ線が設けられており、そのキリトリ線下方の裏紙表面には往信時の差出人である返信時の送付先が印刷されて、往信時には表紙のそのキリトリ線より上側に送り先を書くようにし、返信時には、そのキリトリ線で上下を切断して、下部のみからなる小型返信用封筒とするように構成して、一枚の封筒で往信及び返信を行うことが可能であるとした郵便用封筒が開示されている。
【００１２】
しかし、この特許文献２の郵便用封筒の場合には、一枚の封筒で往信及び返信が可能ではあるものの、往信時と返信時とで封筒自体の形態が大小に変化してしまうもであった。
【先行技術文献】
【特許文献】
【００１３】
【特許文献１】特開平８−１３３３０６号公報
【特許文献２】登録実用新案第３０５８７７０号号公報
【考案の概要】
【考案が解決しようとする課題】
【００１４】
本考案が解決しようとする問題点は、格別な付加部材を用いることなく、封筒を構成する各要素の形状、及び各要素の折り込み態様を巧みに工夫するだけで正当な名宛名人以外の者による不正開封防止機能を有する封筒、更には、不正開封防止機能に加え、初回使用時と再使用時とで同一の外観形態を保持したまま各々郵便物を構成し得るような再使用機能を有するような封筒が従来存在しない点である。
【課題を解決するための手段】
【００１５】
本考案に係る封筒は、宛先記載片と、前記宛先記載片の上辺側に設けられ、宛先記載片の裏面側に折り込まれるとともに、差込片用の受穴を具備する上折込片と、前記宛先記載片の下辺側に設けられ、宛先記載片の裏面側に上折込片と重合するように折り込まれるとともに、前記受穴より広幅部分を有する差込片を具備し、この差込片を前記受穴に嵌め込み広幅部分を前記宛先記載片の裏面側で拡開状態とする下折込片と、前記宛先記載片の一方の側辺側に設けられ、前記上折込片、下折込片を含む宛先記載片の裏面側に重ね合わされる横第１折込片と、前記宛先記載片の他方の側辺側に設けられ、裏面側に封着部を備えて前記横第１折込片に重ね合わせて封着する封緘片として機能する横第２折込片と、を有し、前記宛先記載片の上辺と上折込片との境界折込ライン、又は前記宛先記載片の下辺と下折込片との境界折込ラインに、前記上折込片又は下折込片への引き出し力が作用するとき、前記差込片又は前記受穴の部分が破断するように構成したことを最も主要な特徴とする。
【考案の効果】
【００１６】
請求項１記載の考案によれば、宛先記載片の上辺と上折込片との境界折込ライン、又は前記宛先記載片の下辺と下折込片との境界折込ラインに、前記上折込片又は下折込片への引き出し力が作用するとき、前記差込片又は前記受穴の部分が破断するように構成しているので、格別な付加部材を用いることなく、封筒を構成する各要素の形状、及び各要素の折り込み態様を巧みに工夫するだけで正当な名宛名人以外の者による不正開封を確実に防止することができる機能を有する封筒を実現し提供することができる。
【００１７】
請求項２記載の考案によれば、請求項１記載の考案の同様な効果を奏し、かつ、封筒内に収納される便箋類を第１補助折込片、第２補助折込片により挟み込み保持するように構成しているので、便箋類を封筒内で位置ずれすることなく保持することもできる封筒を実現し提供することができる。
【００１８】
請求項３記載の考案によれば、請求項１記載の考案の同様な効果を奏し、かつ、宛先記載片、上折込片、下折込片、横第１折込片及び横第２折込片の行き宛名記載欄を表面とした折り込みと、初回使用のための封着部による横第２折込片の横第１折込片へのの封着とにより、内部に便箋類を収納した初回使用態様の郵便物を構成して、宛先記載片、上折込片、下折込片、横第１折込片及び横第２折込片の前記帰り宛名記載欄を表面とした折り込みと、再使用のための封着部による横第２折込片の横第１折込片への封着とにより、内部に便箋類を収納した再使用態様の郵便物を構成するようにしているので、初回使用時と再使用時とで外観形態を同一に保持しつつ２回にわたる使用が可能で、封筒用の紙葉類の省資源にも寄与する封筒を実現し提供することができる。
【００１９】
請求項４記載の考案によれば、請求項３記載の考案の同様な効果を奏し、かつ、封筒内に収納される便箋類を第１補助折込片、第２補助折込片により挟み込み保持するように構成しているので、便箋類を封筒内で位置ずれすることなく保持することもできる封筒を実現し提供することができる。
【図面の簡単な説明】
【００２０】
【図１】図１は本考案の実施例１に係る封筒の表面を表出した状態の展開図である。
【図２】図２は本実施例１に係る封筒の裏面を表出した状態の展開図である。
【図３】図３は本実施例１に係る封筒において上折込片を宛先記載片の裏面側に折り込み、かつ、第１補助折込片、第２補助折込片により便箋類を挟み込んだ状態の裏面を示す説明図である。
【図４】図４は本実施例１に係る封筒において図３に示す状態から更に下折込片を上折込片側に折り込み、差込片を受穴に嵌め込んだ状態の裏面を示す説明図である。
【図５】図５は本実施例１に係る封筒において図４に示す状態から更に横第１折込片を上折込片、下折込片上に折り込んだ状態の裏面を示す説明図である。
【図６】図６は本実施例１に係る封筒において図５に示す状態から更に横第２折込片を横第１折込片上に折り込み封着した状態の裏面を示す説明図である。
【図７】図７は本実施例１に係る封筒において図６に示す状態から表裏反転して宛先記載片を表面に表出した状態を示す説明図である。
【図８】図８は本実施例１に係る封筒において、従来例の場合と同様な不正開封を行おうとする状態を示す説明図である。
【図９】図９は本考案の実施例２に係る初回使用、再使用可能な封筒の表面を表出した展開図である。
【図１０】図１０は本考案の実施例２に係る封筒の初回使用態様における裏面側を表出した状態の展開図である。
【図１１】図１１は本実施例２に係る封筒の上折込片を宛先記載片側に折り込み、かつ、第１補助折込片、第２補助折込片により便箋類を挟み込んだ状態の裏面を示す説明図である。
【図１２】図１２は本実施例２に係る封筒において図１１に示す状態から更に下折込片を上折込片側に折り込み、差込片を受穴に嵌め込んだ状態の裏面を示す説明図である。
【図１３】図１３は本実施例２に係る封筒において図１２に示す状態から横第１折込片を上折込片、下折込片上に折り込んだ状態の裏面を示す説明図である。
【図１４】図１４は本実施例２に係る封筒において図１３に示す状態から横第２折込片を横第１折込片上に折り込み封着した状態の裏面を示す説明図である。
【図１５】図１５は本実施例２に係る封筒において図１４に示す状態から表裏反転して初回使用態様の宛先記載片を表面に表出した状態を示す説明図である。
【図１６】図１６は本実施例２に係る封筒の再使用態様における（使用済みの）表面側を表出した状態の展開図である。
【図１７】図１７は本実施例２に係る封筒において上折込片を宛先記載片側に折り込み、かつ、第１補助折込片、第２補助折込片により便箋類を挟み込んだ状態を示す説明図である。
【図１８】図１８は本実施例２に係る封筒において図１７に示す状態から更に下折込片を上折込片側に折り込み、差込片を受穴に嵌め込んだ状態を示す説明図である。
【図１９】図１９は本実施例２に係る封筒において図１８に示す状態から更に横第２折込片を上折込片、下折込片上に折り込んだ状態を示す説明図である。
【図２０】図２０は本実施例２に係る封筒において図１９に示す状態から更に横第１折込片を横第２折込片上に折り込み封着した状態を示す説明図である。
【図２１】図２１は本実施例２に係る封筒において図２０に示す状態から表裏反転して再使用態様の宛先記載片を表出した状態を示す説明図である。
【図２２】図２２は従来の一般的な封筒の概略説明図である。
【考案を実施するための形態】
【００２１】
本考案は、格別な付加部材を用いることなく、封筒を構成する各要素の形状、及び各要素の折り込み態様を巧みに工夫するだけで正当な名宛名人以外の者による不正開封防止機能を有する封筒を提供するという目的を、四角形状で郵便番号記載欄を設けた宛先記載片と、前記宛先記載片の上辺側に設けられ、宛先記載片の裏面側に折り込まれるとともに、差込片用の受穴を具備する四角形状の上折込片と、前記上折込片の両側辺に設けた前記宛先記載片の裏面側に配置される便箋類を挟み込む四角形状の第１補助折込片、第２補助折込片と、前記宛先記載片の下辺側に設けられ、宛先記載片の裏面側に上折込片と重合するように折り込まれるとともに、前記受穴より広幅部分を有する差込片を具備し、この差込片を前記受穴に嵌め込み広幅部分を前記宛先記載片の裏面側で拡開状態とする四角形状の下折込片と、前記宛先記載片の一方の側辺側に設けられ、前記上折込片、下折込片を含む宛先記載片の裏面側に重ね合わされる四角形状の横第１折込片と、前記宛先記載片の他方の側辺側に設けられ、裏面側に封着部を備えて前記横第１折込片に重ね合わせて封着する封緘片として機能する四角形状の横第２折込片と、を有し、前記宛先記載片の上辺と上折込片との境界折込ライン、又は前記宛先記載片の下辺と下折込片との境界折込ラインに、前記上折込片又は下折込片への引き出し力が作用するとき、前記差込片又は前記受穴の部分が破断する構成により実現した。
【実施例】
【００２２】
以下、本考案の実施例に係る封筒について図面を参照して詳細に説明する。
【００２３】
（実施例１）
本考案の実施例１に係る封筒１について、図１乃至図８を参照して説明する。
【００２４】
なお、説明の明確化を図るために、添付図面中、図１において、上下左右の方向性を図示のように定義して以下の説明を行う。
【００２５】
まず、本実施例１に係る封筒１の構成要素について図１、図２を参照して詳述する。
【００２６】
本実施例１に係る封筒１は、封筒用紙葉類を用いて角封筒形態としてものであり、図１、図２に示すように、四角形状で表面の上部に郵便番号記載欄を設けた宛先記載片２と、この宛先記載片２の上辺側に設けられ、前記宛先記載片２の裏面側に折り込まれるとともに、後述する差込片８用の直線状の受穴４を具備する四角形状の上折込片３と、前記上折込片３の両側辺に設けられ、上折込片３とともに前記宛先記載片２の裏面側に折り込まれ、更に、前記宛先記載片２の裏面側に配置される前記封筒１の内容物としての例えば便箋類２１を挟み込む四角形状の第１補助折込片５、第２補助折込片６と、前記宛先記載片２の下辺側に設けられ、宛先記載片２の裏面側に前記上折込片３と重合するように折り込まれるとともに、下折込片７自体に対する切込み加工により前記受穴４より広幅部分を有する円形近似形状でフラップ状とした差込片８を具備し、この差込片８を前記受穴４に嵌め込み広幅部分を前記宛先記載片２の裏面側で拡開状態とする四角形状の下折込片７と、前記宛先記載片２の一方の（左側の）側辺側に設けられ、折込後の前記上折込片３、下折込片７を含む宛先記載片２の裏面側を覆う或いは重ね合わされる四角形状の横第１折込片９と、前記宛先記載片２の他方の（右側の）側辺側に設けられ、裏面端縁部全体に封着部１１（例えば両面テープ又は糊代部）を備えて、折り込みにより前記横第１折込片９を覆い或いは重ね合わせて封着する封緘片として機能する四角形状の横第２折込片１０と、を有している。
【００２７】
次に、本実施例１に係る封筒１において、上述した各要素における境界折込ラインについての定義説明を行う。
【００２８】
本実施例１においては、前記宛先記載片２の上辺と上折込片３との境界折込ラインを第１折込ラインＬ１、前記宛先記載片２の下辺と下折込片７との境界折込ラインを第２折込ラインＬ２、前記第１補助折込片５の宛先記載片２との境界折込ラインを第３折込ラインＬ３、前記第２補助折込片６の宛先記載片２との境界折込ラインを第４折込ラインＬ４、前記横第１折込片９の宛先記載片２との境界折込ラインを第５折込ラインＬ５、前記横第２折込片１０の宛先記載片２との境界折込ラインを第６折込ラインＬ６と定義して以下の説明を行う。
【００２９】
次に、上述した各要素からなる本実施例１に係る封筒１を、便箋類２１を内装した郵便物２０として仕上げる工程について、図１、図２及び図３乃至図７を参照して説明する。
【００３０】
展開状態の封筒１において、図２に示すように前記宛先記載片２の裏面側を表出し、この状態で宛先記載片２の裏面上に差出人が作成した所定の事項が記載されている便箋類２１を載せ、更に、前記第１折込ラインＬ１を谷折りして上折込片３及び前記第１補助折込片５、第２補助折込片６を前記宛先記載片２の裏面側に折り込む。
【００３１】
そして、第３折込ラインＬ３、第４折込ラインＬ４を各々谷折りして第１補助折込片５、第２補助折込片６により、宛先記載片２の裏面上に載せた前記便箋類２１の一部を包み込む。このようにすることにより、便箋類２１は封筒１内で位置ずれすることなく保持される利点がある。この状態を図３に示す。
【００３２】
このとき、前記上折込片３に設けた受穴４は、前記第１補助折込片５、第２補助折込片６上に位置することになる。
【００３３】
次に、前記第２折込ラインＬ２を谷折りして前記下折込片７を上折込片３側に折り込み、その一部を上折込片３上に重ねるとともに、前記差込片８を前記受穴４に嵌め込み、差込片８の広幅部分を前記宛先記載片２の裏面側で拡開状態とする。この状態を図４に示す。
【００３４】
そして、前記第５折込ラインＬ５を谷折りして前記横第１折込片９により前記上折込片３、下折込片７に重ね、これらのほぼ全体を覆う。この状態を図５に示す。
【００３５】
次に、前記第６折込ラインＬ６を谷折して横第２折込片１０により横第１折込片９のほぼ全体を覆うとともに、横第２折込片１０の裏面側に設けた封着部１１によって、横第２折込片１０を横第１折込片９に封着し、横第２折込片１０を封緘片として機能させ、また、横第２折込片１０に差出人の住所、氏名等を記載することで、前記封筒１を便箋類２１を内装した郵便物２０として仕上げる。この状態を図６に示す。
【００３６】
そして、この郵便物２０を表裏反転することで、図７に示すように、郵便物２０としての体裁を整えた完成状態とすることができ、郵便にて発送することが可能となる。
【００３７】
次に、本実施例１に係る封筒１の不正開封防止機能について、図８を参照して説明する。
【００３８】
図８に示すように、例えば、仮に郵送されてきた郵便物２０を、宛先記載片２に記載された名宛人以外の者（不正者）が無断で開封しようと試みたとする。
【００３９】
すなわち、従来例の場合と略同様に前記第２折り込みラインＬ２の内部（宛先記載片２と下折込片７との境界内部）に糸２２等を挿通させ、下方に糸２２を引いて下折込片７を引き出さそうとした場合、下折込片７自体はいずれの箇所にも糊付け等がなされていないものの、既述したように、前記差込片８が前記受穴４に嵌め込まれ、差込片８の広幅部分が前記宛先記載片２の裏面側で拡開状態となっているため、無理に糸２２による引き出し力を作用させると前記差込片８又は前記受穴４の一部が破断状態（破れたり千切れたりする状態）となってしまう。
【００４０】
この結果、不正者が仮に下折込片７を一端引き出し、便箋類２１の内容を読んだ後、この便箋類２１を元に戻し下折込片７を繕いなおしても、正当な名宛人がその後郵便物２０を開封した時に前記差込片８又は前記受穴４の異常を直ちに認識でき、無断開封されたことを確実に認識することができる。
【００４１】
このような効果は、前記第１折り込みラインＬ１の内部（宛先記載片２と上折込片３との境界内部）に対して上述したような行為を行った場合も同様である。
【００４２】
換言すれば、本実施例１に係る封筒１の上述したような構成、作用により、不正者にる無断開封行為を躊躇させる効果があり、本実施例１に係る封筒１による不正開封防止機能を有効に発揮させることが可能となる。
【００４３】
（実施例２）
次に、本考案の実施例２に係る封筒１Ａについて、図９乃至図２１を参照して説明する。
【００４４】
なお、本実施例２に係る封筒１Ａにおいて、実施例１の封筒１の場合と同一の要素には同一の符号を付し、その詳細説明は省略する。
【００４５】
本実施例２に係る封筒１Ａは、実施例１の封筒１における不正開封防止機能を有することに加え、一回限りの使い切りではなく再使用可能な構成としたことが特徴である。
【００４６】
以下に、本実施例２に係る封筒１Ａについて、初回使用態様、再使用態様の態様別に場合を分けて説明する。
（初回使用態様）
本実施例２に係る封筒１Ａの初回使用態様について、図９乃至図１５を参照して説明する。
【００４７】
本実施例２に係る封筒１Ａは、基本的な構成は実施例１の封筒１の場合と略同様であるが、図９、図１０に示すように、四角形状で表面の上部、及び裏面の上部双方に郵便番号記載欄を設け、表面側を初回使用のための行き宛名記載欄２ａとし裏面側を再使用のための帰り宛名記載欄２ｂとした宛先記載片２と、この宛先記載片２の上辺側に設けられ、前記宛先記載片２の裏面側に折り込まれるとともに、後述する差込片８用の直線状の受穴４を具備する四角形状の上折込片３と、前記上折込片３の両側辺に設けられ、上折込片３とともに前記宛先記載片２の裏面側に折り込まれ、更に、前記宛先記載片２の裏面側に配置される前記封筒１の内容物としての例えば便箋類２１を挟み込む四角形状の第１補助折込片５、第２補助折込片６と、前記宛先記載片２の下辺側に設けられ、宛先記載片２の裏面側に前記上折込片３と重合するように折り込まれるとともに、下折込片７自体に対する切込み加工により前記受穴４より広幅部分を有する円形近似形状でフラップ状とした差込片８を具備し、この差込片８を前記受穴４に嵌め込み広幅部分を前記宛先記載片２の裏面側で拡開状態とする四角形状の下折込片７と、前記宛先記載片２の一方の（左側の）側辺側に設けられ、折込後の前記上折込片３、下折込片７を含む宛先記載片２の裏面側を覆う或いは重ね合わされる四角形状の横第１折込片９と、四角形状の横第２折込片１０と、を有している。
【００４８】
本実施例２に係る封筒１Ａにおいては、初回使用された当該封筒１Ａを受領した側（封筒１Ａの受領者）が開封するために、前記横第２折込片１０の裏側端縁部全体に初回使用のための封着部１１ａ（例えば両面テープ又は糊代部）をミシン目２３付で切り取り可能なように設けている。
【００４９】
また、前記横第２折込片１０の表面側には、前記封着部１１ａの隣りに相当する位置に再使用のための封着部１１ｂその上面を剥離紙２４で覆う態様でが設けられている。
【００５０】
本実施例２に係る封筒１Ａにおける各要素における境界折込ライン、すなわち、第１折込ラインＬ１乃至第６折込ラインＬ６については、実施例１の封筒１の場合と同様である。
【００５１】
次に、上述した各要素からなる本実施例２に係る封筒１Ａを、便箋類２１を内装した郵便物２０として仕上げる工程について説明する。
【００５２】
展開状態の封筒１Ａにおいて、図１０に示すように前記宛先記載片２の裏面側を表出し、この状態で宛先記載片２の裏面上に差出人が作成した所定の事項が記載されている便箋類２１を載せ、更に、前記第１折込ラインＬ１を谷折りして上折込片３及び前記第１補助折込片５、第２補助折込片６を前記宛先記載片２の裏面側に折り込む。
【００５３】
そして、第３折込ラインＬ３、第４折込ラインＬ４を各々谷折りして第１補助折込片５、第２補助折込片６により、宛先記載片２の裏面上に載せた前記便箋類２１の一部を包み込む。
【００５４】
このようにすることにより、便箋類２１は封筒１Ａ内で位置ずれすることなく保持される利点がある。この状態を図１１に示す。
【００５５】
このとき、前記上折込片３に設けた受穴４は、前記第１補助折込片５、第２補助折込片６上に位置することになる。
【００５６】
次に、前記第２折込ラインＬ２を谷折りして前記下折込片７を上折込片３側に折り込み、その一部を上折込片３上に重ねるとともに、前記差込片８を前記受穴４に嵌め込み、差込片８の広幅部分を前記宛先記載片２の裏面側で拡開状態とする。この状態を図１２に示す。
【００５７】
次に、前記第５折込ラインＬ５を谷折りして前記横第１折込片９を前記上折込片３、下折込片７に重ねる。この状態を図１３に示す。
【００５８】
次に、前記第６折込ラインＬ６を谷折りして前記横第２折込片１０により横第１折込片９上を覆う或いは重ね合わされるとともに、前記横第２折込片１０を横第１折込片９上に圧接して前記封着部１１ａにより横第２折込片１０の裏面側を横第１折込片９上に封着し、横第２折込片１０を封緘片として機能させ、また、初回使用のための行き宛名記載欄２ａに差出人の住所、氏名等を記載することにより、前記封筒１を便箋類２１を内装した郵便物２０Ａとして仕上げる。この状態を図１５に示す。
【００５９】
そして、この郵便物２０を表裏反転することで、図１５に示すように、郵便物２０Ａとしての体裁を整えた初回使用態様の完成状態とすることができ、郵便にて発送することが可能となる。
【００６０】
本実施例２に係る封筒１Ａにおいても、当然に実施例１の場合と同様な不正開封防止機能を発揮させることができる。
【００６１】
（再使用態様）
次に、図１６乃至図２１を参照して、前記封筒１Ａの再使用態様について説明する。
【００６２】
上述したような初回使用態様の郵便物２０Ａを受け取った名宛人（前記初回使用態様の郵便物を受領した者）は、前記封筒１Ａを開封し、便箋類２１を抜き取った後、封筒１Ａの第１乃至第６折込ラインＬ１乃至Ｌ６を開放し、図９に示すような表面が表出する（行き宛名記載欄２ａが表出する）展開状態にし、かつ、前記横第２折込片１０に設けた封着部１１ａをミシン目２３から切り取り除外する。この状態を図１６に示す。
【００６３】
次に、既述した場合と同様にして、宛先記載片２の行き宛名記載欄２ａ上に再使用時の差出人（前記名宛人）が作成した所定の事項が記載されている便箋類２１ａを載せ、更に、前記第１折込ラインＬ１を谷折り（初回使用時とは逆）上折込片３及び前記第１補助折込片５、第２補助折込片６を前記宛先記載片２の行き宛名記載欄２ａ側に折り込む。
【００６４】
そして、第３折込ラインＬ３、第４折込ラインＬ４を各々谷折り（初回使用時とは逆）して第１補助折込片５、第２補助折込片６により、宛先記載片２の行き宛名記載欄２ａ上に載せた前記便箋類２１ａの一部を包み込む。このようにすることにより、便箋類２１ａは封筒１Ａ内で位置ずれすることなく保持される利点がある。この状態を図１７に示す。
【００６５】
このとき、前記上折込片３に設けた受穴４は、前記第１補助折込片５、第２補助折込片６上に位置することになる。
【００６６】
次に、前記第２折込ラインＬ２を谷折り（初回使用時とは逆）して前記下折込片７を上折込片３側に折り込み、その一部を上折込片３上に重ねるとともに、前記差込片８を前記受穴４に嵌め込み、差込片８の広幅部分を前記宛先記載片２の行き宛名記載欄２ａ側で拡開状態とする。この状態を図１８に示す。
そして、前記第６折込ラインＬ６を谷折り（初回使用時とは逆）して前記横第２折込片１０を前記上折込片３、下折込片７に重ねる。この状態を図１９に示す。
次に、前記第５折込ラインＬ５を谷折りして前記横第２折込片１０を横第１折込片９上に重ねるとともに、前記横第２折込片１０に設けられ剥離紙２４を剥がした封着部１１ｂにより横第２折込片１０を横第１折込片９上に封着し、横第２折込片１０を封緘片として機能させ、また、帰り宛名記載欄２ｂに差出人の住所、氏名等を記載することで、前記封筒１Ａを便箋類２１ａを内装した再使用態様の郵便物２０Ｂとして仕上げる。この状態を図２０に示す。
【００６７】
そして、この郵便物２０Ｂを表裏反転することで、図２１に示すように、郵便物２０Ｂとしての体裁を整えた再使用態様の完成状態とすることができ、郵便にて発送することが可能となる。
【００６８】
この場合においても、当然に実施例１の場合と同様な不正開封防止機能を発揮させることができる。
【００６９】
以上説明した本実施例２によれば、実施例１の場合と同様な不正開封防止機能を発揮させることができるともに、同一の初回使用態様、再使用態様の２回にわたって郵便物２０Ａ又は郵便物２０Ｂとして利用でき、封筒として使用される紙葉類の省資源に大いに寄与する封筒１Ａを実現することができる。
【産業上の利用可能性】
【００７０】
本考案の封筒は、主に角型封筒としてそのサイズが大小に異なる封筒に適用でき、不正者の無断開封防止に顕著な効果を発揮し、また、紙葉類の省資源対策に有効なものとして広範に適用可能である。
【符号の説明】
【００７１】
１    封筒
１Ａ  封筒
２    宛先記載片
２ａ  宛名記載欄
２ｂ  宛名記載欄
３    上折込片
４    受穴
５    第１補助折込片
６    第２補助折込片
７    下折込片
８    差込片
９    横第１折込片
１０    横第２折込片
１１    封着部
１１ａ  封着部
１１ｂ  封着部
２０    郵便物
２０Ａ  郵便物
２０Ｂ  郵便物
２１    便箋類
２１ａ  便箋類
２２    糸
２３    ミシン目
２４    剥離紙
Ｌ１    第１折込ライン
Ｌ２    第２折込ライン
Ｌ３    第３折込ライン
Ｌ４    第４折込ライン
Ｌ５    第５折込ライン
Ｌ６    第６折込ライン
【図１】
0003194449.tif 000003
【図２】
0003194449.tif 000004
【図３】
0003194449.tif 000005
【図４】
0003194449.tif 000006
【図５】
0003194449.tif 000007
【図６】
0003194449.tif 000008
【図７】
0003194449.tif 000009
【図８】
0003194449.tif 000010
【図９】
0003194449.tif 000011
【図１０】
0003194449.tif 000012
【図１１】
0003194449.tif 000013
【図１２】
0003194449.tif 000014
【図１３】
0003194449.tif 000015
【図１４】
0003194449.tif 000016
【図１５】
0003194449.tif 000017
【図１６】
0003194449.tif 000018
【図１７】
0003194449.tif 000019
【図１８】
0003194449.tif 000020
【図１９】
0003194449.tif 000021
【図２０】
0003194449.tif 000022
【図２１】
0003194449.tif 000023
【図２２】
0003194449.tif 000024